【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
第１の光学表面及び第２の光学表面を含んでいる複数の光変調素子、ここにおいて、該第２の光学表面は該第１の光学表面に対して移動可能である；及び
該複数の光変調素子から反射された光を拡散させるためそして当該ディフューザ素子上に入射する光が該入射光よりもさらに平行にされて該光変調素子に向けられるように光を平行させるために構成された該複数の光変調素子の前方のディフューザ素子、
を具備することを特徴とするディスプレイ。
【請求項２】
該ディフューザ素子は、該ディフューザ素子上に入射する光が該入射光よりもさらに平行にされて該光変調素子に向けられるように配列された複数の散乱フィーチャを備えることを特徴とする請求項１のディスプレイ。
【請求項３】
該ディフューザ素子は、回折光学素子を備えることを特徴とする請求項１のディスプレイ。
【請求項４】
該ディフューザ素子は、ホログラフ光学素子を備えることを特徴とする請求項１のディスプレイ。
【請求項５】
該ディフューザ素子は、多層フィルムを備えることを特徴とする請求項１のディスプレイ。
【請求項６】
該多層フィルムは、
該ディフューザ素子上に入射する該光を実質的に平行にするために構成された第１の層；及び
該光変調素子で反射された光を拡散させるために構成された拡散性物質を備える第２の層、
を備えることを特徴とする請求項５のディスプレイ。
【請求項７】
該複数の光変調素子と電気的に通信するプロセッサ、ここにおいて、前記プロセッサは
画像データを処理するために構成される；及び
前記プロセッサと電気的に通信するメモリ・デバイス、
をさらに具備することを特徴とする請求項１のディスプレイ。
【請求項８】
該複数の光変調素子に少なくとも１つの信号を送るために構成されたドライバ回路をさらに具備することを特徴とする請求項７に記載のディスプレイ・システム。
【請求項９】
前記ドライバ回路に前記画像データの少なくとも一部を送るために構成されたコントローラをさらに具備することを特徴とする請求項８に記載のディスプレイ・システム。
【請求項１０】
前記プロセッサに前記画像データを送るために構成された画像ソース・モジュールをさらに具備することを特徴とする請求項７に記載のディスプレイ・システム。
【請求項１１】
前記画像ソース・モジュールは、受信機、トランシーバ、及び送信機のうちの少なくとも１つを備えることを特徴とする請求項１０に記載のディスプレイ・システム。
【請求項１２】
入力データを受け取るため、そして前記プロセッサに前記入力データを通信するために構成された入力デバイスをさらに具備することを特徴とする請求項７に記載のディスプレイ・システム。
【請求項１３】
ディスプレイを製作する方法であって、
第１の光学表面及び第２の光学表面を含んでいる複数の光変調素子を形成すること、
ここにおいて、該第２の光学表面は該第１の光学表面に対して移動可能である；及び
広い範囲の角度で入射する光を受けるため、そして該光変調素子上へとより狭い範囲の角度に光を向けるために構成された該複数の光変調素子の前方にディフューザ素子を形成すること、
を具備することを特徴とする方法。
【請求項１４】
該ディフューザ素子は、広い範囲の角度で該ディフューザ素子上に入射する該光が該光変調素子上へとより狭い範囲の角度に向けられるように配置された複数の散乱フィーチャを備えることを特徴とする請求項１３の方法。
【請求項１５】
該ディフューザ素子は、回折光学素子を備えることを特徴とする請求項１３の方法。
【請求項１６】
該ディフューザ素子は、ホログラフ光学素子を備えることを特徴とする請求項１３の方法。
【請求項１７】
該ディフューザ素子は、多層フィルムを備えることを特徴とする請求項１３の方法。
【請求項１８】
該多層フィルムは、
実質的に広い範囲の角度で入射する光を受けるため、そして該光変調素子上へとより狭い範囲の角度に該光を向けるために構成された第１の層；及び
該光変調素子で反射された光を拡散させるために構成された拡散性物質を備える第２の層、
を備えることを特徴とする請求項１７の方法。
【請求項１９】
請求項１３ないし１８のいずれかの方法によって形成されたディスプレイ。
【請求項２０】
光を操作するための第１の光学手段及び第２の光学手段を備える光を変調するための手段、ここにおいて、該第２の光学手段は前記第１の光学手段に対して移動可能である；及び
当該拡散させる手段上に入射する光がその上に入射する該光よりもさらに平行にされて該光変調手段に向けられるように該光変調手段の前方の光を拡散させるための手段、を具備することを特徴とするディスプレイ。
【請求項２１】
前記光変調手段は、複数の光変調素子を備えることを特徴とする請求項２０のディスプレイ。
【請求項２２】
前記第１の光学手段及び第２の光学手段は、第１の光学表面及び第２の光学表面を備える、ここにおいて、前記第２の光学表面は該第１の光学表面に対して移動可能であることを特徴とする請求項２０のディスプレイ。
【請求項２３】
前記光変調手段は、複数の光干渉変調器を備えることを特徴とする請求項２０のディスプレイ。
【請求項２４】
前記拡散手段は、少なくとも１つのディフューザを備えることを特徴とする請求項２０のディスプレイ。
【請求項２５】
アレイに配列された複数の光干渉ＭＥＭＳ素子を有するディスプレイ上に情報を表示する方法であって、各ＭＥＭＳ素子は部分反射第１の光学表面及び反射第２の光学表面を含む、ここにおいて、該第１の光学表面及び第２の光学表面上に入射する光を反射で変調させるために該第２の光学表面は該第１の光学表面に対して移動可能であり、
フィルムの表面上で周囲光を受けること；
前記表面で受けた周囲光を前記アレイの方向に向けること；
前記アレイ上に入射する光が該フィルムの該表面上で受けられた該周囲光よりもさらに平行にされるようにするために光が前記アレイに伝播するように該向けられた光の少なくとも一部を平行にすること；
該アレイ上で受け取られた光を光干渉で変調させること、ここにおいて、光干渉で変調された光は、該フィルムの該表面に向けて前記変調された光を反射させることを備える；及び
該アレイと該フィルムの該表面との間を伝播するように前記変調された光を拡散させること、
を具備することを特徴とする方法。
【請求項２６】
該向けられた光の少なくとも一部を平行にすることは、該周囲光が該アレイの方向に向けて平行にされるように配列された複数の散乱フィーチャを有する複数の拡散素子を通して該変調された光を通過させることを備えることを特徴とする請求項２５の方法。
【請求項２７】
該複数のディフューザ素子は、回折光学素子を備えることを特徴とする請求項２６の方法。
【請求項２８】
ディフューザ素子は、ホログラフ光学素子を備えることを特徴とする請求項２６の方法。
【請求項２９】
ディフューザ素子は、多層フィルムを備えることを特徴とする請求項２６の方法。
【請求項３０】
該多層フィルムは、
ディフューザ素子上に入射する該光を実質的に平行にするために構成された第１の層；及び
該アレイで反射された光を拡散させるために構成された拡散性物質を備える第２の層、
を備えることを特徴とする請求項２９の方法。
【請求項３１】
部分反射第１の光学表面及び反射第２の光学表面を含んでいる複数の光干渉ＭＥＭＳ素子、ここにおいて、該第１の光学表面及び第２の光学表面上に入射する光を反射で変調させるために該第２の光学表面は該第１の光学表面に対して移動可能である；及び
該第１の光学表面及び第２の光学表面によって反射された変調された光の視界を制限するために構成された複数のバッフル、
を具備し、
該複数のバッフルは、個々のバッフル間にスペーシングを備える、ここにおいて、前記スペーシングは該ディスプレイの前表面に垂直な面から約４０度よりも大きくない視野角を与える大きさを有する、ここにおいて、該角度は、該垂直面に対して半分の角度として測定されることを特徴とするディスプレイ。